(57)【要約】【課題】機種や仕様の異なるファクシミリ装置間でハンドセットおよびハンドセット置き台が共用される場合に、一律に、置き台にハンドセットの落下防止機能を持たせるとなると、過剰装備となってしまう。【解決手段】基部２と、この基部２に対して回転軸１５回りに傾斜可能であるカバー部３と、このカバー部３に固定される置き台１１と、この置き台１１上に載置可能とされるハンドセット１０と、を備える複合機１であって、置き台１１上に載置されるハンドセット１０の側面のうち、カバー部３の傾斜時にハンドセット１０が脱落する側の側面（左側面）、を受ける受け部（縦壁１２ａ）を有するサポータ１２を備えると共に、サポータ１２を置き台１１に着脱可能な別部品とする。【選択図】図４
2007266768.tif 000002
【特許請求の範囲】
【請求項１】
基部と、この基部に対して回転軸回りに傾斜可能であるカバー部と、このカバー部に固定される置き台と、この置き台上に載置可能とされるハンドセットと、を備えるファクシミリ装置であって、
前記置き台上に載置される前記ハンドセットの側面のうち、前記カバー部の傾斜時に前記ハンドセットが脱落する側の側面、を受ける受け部を有する落下防止部材を備えると共に、
この落下防止部材を前記置き台に着脱可能な別部品とする、
ことを特徴とするファクシミリ装置。
【請求項２】
前記落下防止部材は、前記回転軸の軸方向より見てＬ字状であって、縦壁と横壁とを有し、
前記横壁が前記置き台に固定され、
前記縦壁が前記受け部を構成する、
ことを特徴とする請求項１に記載のファクシミリ装置。
【請求項３】
前記回転軸の軸方向を前後方向とした場合における前記カバー部の左右側面のうち、前記回転軸に近い側の側面に、前記置き台を支持する、
ことを特徴とする請求項１または請求項２に記載のファクシミリ装置。
【発明の詳細な説明】
【技術分野】
【０００１】
基部と、この基部に対して回転軸回りに傾斜可能であるカバー部と、このカバー部に固定される置き台と、この置き台上に載置可能とされるハンドセットと、を備えるファクシミリ装置に関する。
【背景技術】
【０００２】
従来、電話機のハンドセット（受話器）が付設された構成のファクシミリ装置が知られている。このハンドセットは、ファクシミリ装置の本体に固定された置き台上に、載置される。
特許文献１には、ファクシミリ装置を持ち運ぶ場合に、ハンドセットを脱落させることなく手軽に携帯できるようにするため、ハンドセットの脱落を防止する固定手段を設けるようにしたファクシミリ装置が開示されている。
【０００３】
【特許文献１】実開平５−６９６５号公報
【発明の開示】
【発明が解決しようとする課題】
【０００４】
ファクシミリ装置の本体には、ジャム処理やトナーカートリッジの交換のため、開閉可能なカバーが設けられている。特に、小型のファクシミリ装置では、プリンタ装置部に対して、スキャナ装置部が開閉するように構成されており、このスキャナ装置部が開閉するカバー部となっている。ファクシミリ装置にハンドセットを付設する場合、その付設位置が操作パネルなどと同じ高さ位置となるように、ハンドセットの置き台がスキャナ装置部（カバー部）に取り付けられるものとなる。
特許文献１ではファクシミリ装置自体の持ち運び時を想定しているが、一般には、そのような場合は想定されておらず、通常は、置き台にハンドセットの落下防止機能を持たせるようにはしていない。このため、カバー部を開放することによって、置き台の傾斜角度が、ハンドセットが置き台より転げ落ちる限界点を超えるような場合には、置き台からハンドセットが転げ落ちてしまう問題がある。
そこで、カバー部の開放によって置き台が傾斜しても、置き台からハンドセットが脱落しないように、ハンドセットの落下防止機能を持たせるようにすることが考えられる。しかし、ファクシミリ装置の機種や仕様の違いによっては、カバー部の開放による置き台の最大傾斜角度が異なるため、落下防止機能がなくても、ハンドセットの落下を防止できる場合がある。また、ハンドセットやハンドセットの置き台については、ファクシミリ装置本体に機種や仕様の違いがあっても、共通品が使用されることが多い。このような状況で、ファクシミリ装置の機種や仕様の違いに拘わりなく、一律に、置き台にハンドセットの落下防止機能を持たせるとなると、落下防止機能の不要な機種や仕様のファクシミリ装置に過剰装備をさせることになる。
【０００５】
つまり、解決しようとする問題点は、機種や仕様の異なるファクシミリ装置間でハンドセットおよびハンドセット置き台が共用される場合に、一律に、置き台にハンドセットの落下防止機能を持たせるとなると、過剰装備となってしまう点である。
【課題を解決するための手段】
【０００６】
本発明の解決しようとする課題は以上の如くであり、次にこの課題を解決するための手段を説明する。
【０００７】
請求項１に係るファクシミリ装置は、
基部と、この基部に対して回転軸回りに傾斜可能であるカバー部と、このカバー部に固定される置き台と、この置き台上に載置可能とされるハンドセットと、を備えるファクシミリ装置であって、
前記置き台上に載置される前記ハンドセットの側面のうち、前記カバー部の傾斜時に前記ハンドセットが脱落する側の側面、を受ける受け部を有する落下防止部材を備えると共に、
この落下防止部材を前記置き台に着脱可能な別部品とする、
ものである。
【０００８】
以上構成により、次の作用がある。
置き台に、別部品である落下防止部材を取り付ければ、置き台に落下防止機能が付与される。
この落下防止部材により、カバー部を基部に対して傾斜させた際に、カバー部の傾斜により、置き台上のハンドセットが置き台より脱落して落下しようとしても、その落下が防止される。
【０００９】
請求項２に係るファクシミリ装置は、請求項１において、次の構成としたものである。
前記落下防止部材は、前記回転軸の軸方向より見てＬ字状であって、縦壁と横壁とを有し、
前記横壁が前記置き台に固定され、
前記縦壁が前記受け部を構成する、
ものである。
【００１０】
請求項３に係るファクシミリ装置は、請求項１または請求項２において、次の構成としたものである。
前記回転軸の軸方向を前後方向とした場合における前記カバー部の左右側面のうち、前記回転軸に近い側の側面に、前記置き台を支持する、
ものである。
【００１１】
以上構成により、次の作用がある。
カバー部の開放時にハンドセットにかかる遠心力が最小化される。
【発明の効果】
【００１２】
本発明の効果として、以下に示すような効果を奏する。
【００１３】
請求項１においては、
置き台に、落下防止機能を有する落下防止部材を、必要に応じて取り付けることが可能であり、落下防止機能の不要なファクシミリ装置に過剰装備を行うことが防止できる。
【００１４】
請求項２においては、請求項１の効果に加えて、
落下防止部材の構成を簡素化できる。
【００１５】
請求項３においては、請求項１または請求項２の効果に加えて、
カバー部の開放時に、より一層ハンドセットが脱落しにくくなる。
【発明を実施するための最良の形態】
【００１６】
本発明の実施の形態を、図面を用いて説明する。
【００１７】
図１を用いて、複合機１を説明する。
複合機１は、コピー機能、スキャナ機能、プリンタ機能を合わせ有するファクシミリ装置である。
ここで、複合機１に係る方向を定義する。図１は複合機１の前面を示すものとし、図１の紙面に垂直な方向を複合機１の前後方向、図１の紙面に沿う上下方向を複合機１の上下方向、図１の紙面に沿う左右方向を複合機１の左右方向とする。
【００１８】
この複合機１には、下から上に向けて、給紙装置４、プリンタ装置（画像形成装置）５、スキャナケーシング６、自動原稿搬送装置（ＡＤＦ）７が、備えられている。また、スキャナケーシング６の前側に配置される操作パネル８や、スキャナケーシング６の左側に配置されるハンドセットユニット９も、複合機１に備えられるものである。
【００１９】
複合機１に備える前記各装置を概略的に説明する。
プリンタ装置（画像形成装置）５は、イメージデータを記録紙上に印字する装置である。このプリンタ装置５内には、ファクシミリ通信回路部、電話通信回路部が内蔵されている。給紙装置４は、プリンタ装置５に記録紙を供給する装置である。
スキャナケーシング６には、スキャナ装置（画像読取装置）が内蔵されている。スキャナ装置は、原稿画像を読み取って、その原稿のイメージデータを作成する装置である。ＡＤＦ７は、原稿を搬送して、スキャナケーシング６内のスキャナ装置に備える読取部を原稿の各部が通過するようにさせる装置である。
操作パネル８には、複合機１に備える各機能を作動させるためのユーザの操作入力手段（キー等で構成）や、複合機１の作動状況を表示するための画像出力手段（表示ディスプレイ）が、備えられている。
ハンドセットユニット９に備えるハンドセット１０は、詳しくは後述するが、電話の受話器であり、電話通信における音声入力手段および音声出力手段を構成するものである。
【００２０】
図２に示すように、複合機１は、スキャナケーシング６がプリンタ装置４に対して回転して傾斜可能となるように構成されている。スキャナケーシング６の傾斜により、プリンタ装置４の上方が開放されて、プリンタ装置４の内部が露出する。このとき、プリンタ装置４内のジャム処理や、プリンタ装置４内に配置されるトナーカートリッジの交換及びドラムカートリッジの交換などが可能な状態となる。
【００２１】
複合機１を構成する各装置は、プリンタ装置４と共に固定される基部２と、スキャナケーシング６に固定されるカバー部３とに、大まかに二分される。
基部２には、給紙装置５と、プリンタ装置４とが、備えられる。複合機１の最下位置に位置する給紙装置５は、机上面等の静止面に載置される。そして、基部２自体は、カバー部３の開放に関わりなく、静止面上に静止する。
カバー部３には、スキャナケーシング６と、ＡＤＦ７と、操作パネル８と、ハンドユニット９と、が備えられる。これらの装置は、カバー部３が基部２に対して開閉される際に、一体的に移動する。
【００２２】
カバー部３は、基部２の左上端部に配置される回転軸１５を介して、この回転軸１５回りに回転自在に支持されている。この回転軸１５は前後方向の軸であり、カバー部３の右端部が上下方向に移動するようにして、カバー部３が基部２に対して開閉するようになっている。
以下では、カバー部３が基部２に対して閉じて、プリンタ装置４の内部が完全に被覆された状態（図１に示す状態）を、カバー部３の閉状態とする。逆に、カバー部３が基部２に対して傾斜し、プリンタ装置４の内部が露出した状態を、カバー部３の開状態とする。特に、図２に示す状態は、カバー部３が最大限開放されたときの開状態である。
【００２３】
図１〜図４を用いて、ハンドセットユニット９について説明する。
ハンドセットユニット９は、ハンドセット（受話器）１０と、ハンドセット１０の支持に係る置き台１１と、ハンドセット１０の落下防止に係るサポータ（落下防止部材）１２と、を備えている。
ここで、複合機１には、ファクシミリ通信機能だけでなく、電話通信機能も備えられている。この電話通信機能を利用して、ハンドセット１０は、電話通信における音声出力手段および音声入力手段として機能するように構成されている。
【００２４】
図３、図４に示すように、ハンドセット１０は、ハンドセット本体１０ａと、このハンドセット本体１０ａの両端側でそれぞれ突出するマイク部１０ｂおよびスピーカ部１０ｃと、からなる。マイク部１０ｂおよびスピーカ部１０ｃは円柱形状である。
【００２５】
置き台１１は、ハンドセット１０を受ける台本体１３と、スキャナケーシング６の左側面に固定される台支持部１４と、からなる。
台本体１３には、マイク部１０ｂが挿入されるマイク受け部１３ｂと、スピーカ部１０ｃが挿入されるスピーカ受け部１３ｃと、が設けられている。マイク受け部１３ｂおよびスピーカ受け部１０ｃは、マイク部１０ｂおよびスピーカ部１０ｃが円柱形状であるのに対応して、内部に円柱を挿入可能な円筒状に形成されている。
【００２６】
ハンドセット１０は、次の状態で置き台１１に支持される。マイク部１０ｂおよびスピーカ部１０ｃがマイク受け部１３ｂおよびスピーカ受け部１０ｃに挿入されて、ハンドセット本体１０ａが台本体１３の上面に載置された状態である。
この構成により、カバー部３（スキャナケーシング６）が閉状態にある複合機１の通常使用時には、ハンドセット１０は置き台１１上に確実に支持され、脱落することはない。加えて、カバー部３が開放されて若干傾いた状態であっても、ハンドセット１０は脱落することなく置き台１１に支持されるものとなっている。これは、マイク部１０ｂおよびスピーカ部１０ｃがマイク受け部１３ｂおよびスピーカ受け部１０ｃに挿入されて、ハンドセット１０が置き台１１に支持される構成であることによる。
【００２７】
図４に示すサポータ（落下防止部材）１２について説明する。
置き台１１には、カバー部３の開放時にハンドセット１０の落下を防止する手段として、サポータ１２が設けられている。このサポータ１２は、置き台１１に着脱可能な別部品として固定されるものであり、置き台１１より取り外すことも可能である。図３には、サポータ１２を設けない場合の置き台１１を図示している。
【００２８】
ハンドセット１０は、カバー部３の開放時に、次のような方向に落下するように、力を受ける。まず、カバー部３が閉状態にあるとき、直方体状のスキャナケーシング６は、その上面および下面が、複合機１の載置面（水平面）と平行であり、置き台１１の上面（台本体１３の上面）も略載置面と平行である。なお、略載置面と平行とするのは、台本体１３の上面が曲面で形成されていることを考慮しての表現である。一方、カバー部３が開状態にあるとき、スキャナケーシング６および置き台１１は傾斜するので、置き台１１の上面（台本体１３の上面）が、載置面に対して傾斜した状態となる。ここで、回転軸１５が前後方向の軸であるので、置き台１１の上面の傾斜は、右高左低の傾斜となる。置き台１１が右高左低に傾斜すると、この置き台１１上のハンドセット１０は、その自重により、置き台１１の左側より下方に向けて落下するように力を受ける。
そこで、カバー部３が開状態にあるときに、置き台１１上のハンドセット１０が、置き台１１の左側から脱落するのを防止するために、置き台１１上のハンドセット１０（ハンドセット本体１０ａ）の左側面（後述）を受けるように、サポータ１２を置き台１１に設けるものとしている。
【００２９】
図１に示すように、置き台１１に支持されるハンドセット１０の姿勢は、ハンドセット１０の長手方向が前後方向となる姿勢である。このように、ハンドセット１０の長手方向を、カバー部３の回転中心となる回転軸１５と平行とすることで、垂直とする場合よりも、ハンドセット１０の置き台１１から脱落しにくくなっている。
ここで、ハンドセット１０に係る方向を、ハンドセット１０が置き台１１上に支持された状態の姿勢を基準として規定する。前述のハンドセット１０の左側面は、図１におけるハンドセット１０（ハンドセット本体１０ａ）の左側面を意味する。
【００３０】
図４に示すように、サポータ１２は、Ｌ字状であって、このＬ字を構成する二辺としての互いに垂直な縦壁１２ａと横壁１２ｂとを有し、さらに縦壁１２ａと横壁１２ｂとを４５度方向で連結する連結壁１２ｃも有している。
サポータ１２を台本体１３に固定するための構成として、台本体１３の下面に下方に突出するボス１３ｄ・１３ｄが形成されると共に、横壁１２ｂには上下を貫通するボス孔１２ｄ・１２ｄが形成されている。ボス１３ｄには、その先端（下端）よりその軸方向に沿ってネジ孔も形成されている。そして、ボス孔１２ｄにボス１３をそれぞれ挿入した状態で、ボス１３のネジ孔にネジ１６を締結することで、サポータ１２が台本体１３に固定される。
この構成により、サポータ１２を台本体１３に固定することも、台本体１３から取り外すことも自在である。
【００３１】
図１に示すように、サポータ１２は、置き台１１に取り付けられた状態において、回転軸１５の軸方向（前後方向）より見てＬ字状であり、縦壁１２ａがハンドセット１０の左側に位置するものとなっている。
この縦壁１２ａがハンドセット１０（ハンドセット本体１０ａ）の左側面を受ける（に略接触する）受け部となっている。この縦壁１２ａの右側面（ハンドセット本体１０ａを受ける面）は、略鉛直面上にあって、載置面（水平面）に対して略垂直である。そして、ハンドセット１０が、ハンドセット本体１０ａの下面は台本体１３の上面に受けられ、ハンドセット本体１０ａの左側面はサポータ１２の縦壁１２ａによって受けられる構成である。
【００３２】
この構成により、カバー部３が開放されて、置き台１１が傾斜し、台本体１３のみでは台本体１３よりハンドセット１０が脱落しうる場合でも、サポータ１２によりハンドセット１０の脱落が制止されて、置き台１１よりハンドセット１０が落下してしまうことが防止される。
【００３３】
また、図１に示すように、カバー部３に固定される置き台１１の配置位置は、相対的に（他の位置に配置する場合と比べて）回転軸１５に近い位置に設定されている。ここで、本実施の形態では、直方体状であるスキャナケーシング６に、置き台１１を固定可能な位置は、スキャナケーシング６の左右両側面もしくは後面である。スキャナケーシング６の下面はプリンタ装置５に対向する面であり、スキャナケーシング６の上面にはＡＤＦ７等が配置されており、スキャナケーシング６の前面には操作パネル８が配置されており、これらの面には置き台１１を固定することはできない。
また、ユーザによる複合機１の操作上の便宜から、ハンドセットユニット９は操作パネル８の左側に位置することが望ましい。これは、操作パネル８をユーザが右手で操作し、空いた左手でハンドセット１０を握ることによる。
【００３４】
そして、ハンドセットユニット９を、操作パネル８の左側であるスキャナケーシング６の左側面に配置すると共に、前後方向の回転軸１５を、スキャナケーシング６の左側（プリンタ装置５の左上端部）に配置することで、置き台１１の配置位置を、相対的に回転軸１５に近い位置としている。
この構成により、カバー部３の開放時に、ハンドセット１０が受ける遠心力の大きさを最小化し、カバー部３の開放によって、ハンドセット１０が置き台１１より飛び出してしまうことを防止している。
【００３５】
サポータ（落下防止部材）を設ける対象とするファクシミリ装置は、本実施の形態の複合機１に限定されるものではなく、次のようなファクシミリ装置においても有効である。
本実施の形態における複合機１（ファクシミリ装置）は、カバー部３が基部２に実体物である回転軸１５を介して回転自在に支持されて、カバー部３が基部２に対して回転して開閉する構成としている。対象とするファクシミリ装置としては、カバー部が基部に対して、リンク機構を介して支持されるような構成として、カバー部が特定の回転軸回りに回転するわけではない（カバー部の開放に伴って回転軸自体が移動するなど）が、カバー部が傾斜しつつ、基部を開閉するような構成であってもよい。つまり、カバー部を基部に対して開閉させる際に、カバー部の姿勢が水平に保たれず、置き台が傾斜するような構成のファクシミリ装置一般について、落下防止部材を適用することが有効である。
【００３６】
また、本実施の形態の複合機１は、原稿読み取りの方式を、ＡＤＦ７の原稿搬送によって原稿画像を読み取る方式（シート・フィード・タイプ）のみとしているが、光学系装置の主走査方向への移動によって原稿画像を読み取る方式（フラット・ベッド・タイプ）であってもよい。この場合、スキャナケーシングの上面に原稿の載置台となるコンタクトガラスが設けられると共に、このコンタクトガラスを開閉するプラテンカバー（原稿押さえ板）が開閉自在に設けられることになる。このような場合は、比較的開閉頻度が多く、開放角度も比較的大きなものとなるプラテンカバーは避けて、スキャナケーシング本体（プラテンカバーを除く部位）に、ハンドセットユニットを設けるものとする。
【図面の簡単な説明】
【００３７】
【図１】カバー部閉状態における複合機の前面図である。
【図２】カバー部開状態（最大開放状態）における複合機の前面図である。
【図３】サポータなしのハンドセットユニットを示す斜視図である。
【図４】サポータありのハンドセットユニットを示す斜視図である。
【符号の説明】
【００３８】
１    複合機（ファクシミリ装置）
２    基部
３    カバー部
１１    置き台
１２    サポータ（落下防止部材）
１２ａ    縦壁
１２ｂ    横壁
１５    回転軸
【図１】
2007266768.tif 000003
【図２】
2007266768.tif 000004
【図３】
2007266768.tif 000005
【図４】
2007266768.tif 000006